(57)【要約】  回転ディスク（１０８）からデータを読取り、また回転ディスク（１０８）にデータを書込むために使用される読取り／書込みヘッド（１２２）の近くの乱流を抑制するために、ディスク駆動装置（１００）に使用される静止ディスク分離プレート（１２６）である。このプレートの前端縁（１３６）および後端縁（１３８）は、ヘッドのディスクに隣接した半径方向の移動を可能にするために、開かれた部分（１２８）を形成する。プレートの前端縁に配置された前端縁空気堰（１４０）はディスクの回転によって支持体空気流のかなりの部分を開かれた部分から離れる方向へ偏向させて、ヘッドにおける空気流の速度を減速させる。多数ディスクを有するディスク駆動装置では、プレートは隣接する各二枚のディスクの間に配置されることが好ましい。プレートの厚さを通して空気の排出路（１５４）が好ましく延在されて、空力抵抗、従って駆動装置の電力消費量を減少させる。
2005509232.tif 000002
【特許請求の範囲】
【請求項１】
第一のディスクに隣接してヘッドを位置決めするアクチュエータ組立体を有するディスク駆動装置の第一の回転可能な剛いディスクおよび第二の回転可能な剛固なディスクの間に配置されるように成形された静止プレートであって、
実質的に円形の外周および実質的に円形の内周と、
前端縁および後端縁であって、アクチュエータ組立体によるヘッドの半径方向の移動を可能にするために、それぞれ内周から外周へ延在して、外周から内周へ半径方向に延在すると共に後端縁および前端縁の間を角度を有して延在する開かれた部分を形成している前端縁および後端縁と、
後端縁に配置され、静止プレートの他部分の厚さよりも大きな厚さを有し、ディスクの回転によって生じる空気流のかなりの部分を開かれた部分から離れる方向へ偏向させてヘッド付近の空気流の速度を実質的に減速させる後端縁空気堰と含む静止プレート。
【請求項２】
ヘッドの近くの空気流の速度をさらに減少させるために前端縁に配置された前端縁空気堰をさらに含む請求項１に記載された静止プレート。
【請求項３】
ディスクの回転によって生じる空気流の方向を定めるために、静止プレートの外周に円周方向に配置されたプレート・シュラウドをさらに含む請求項１に記載された静止プレート。
【請求項４】
前端縁が、静止プレートの他の部分の厚さよりも薄い第二の厚さとなるテーパーを付されている請求項１に記載された静止プレート。
【請求項５】
アクチュエータ組立体が軸受組立体のまわりに枢動するときのヘッドの移動を可能にするように前端縁が成形されている請求項１に記載された静止プレート。
【請求項６】
静止プレートを超えて流れる空気流の空力抵抗を減少するために、静止プレートの厚さを通して延在する空気流の排出路をさらに含む請求項１に記載された静止プレート。
【請求項７】
基板と、
基板によって支持され、回転可能なハブを有するスピンドル・モーターと、
中心軸線のまわりに回転するようにハブに取付けられた第一のディスクと、
基板によって支持され、読取り／書込みヘッドを第一のディスクに隣接して位置決めするアクチュエータ組立体と、
第一のディスクに隣接してそれと実質的に平行に基板で支持された静止プレートとを含み、静止プレートが、
実質的に円形の外周および実質的に円形の内周、
前端縁および後端縁であって、アクチュエータ組立体によるヘッドの半径方向の
移動を可能にするために、それぞれ内周から外周へ延在して、外周から内周へ半径
方向に延在すると共に後端縁および前端縁の間を角度を有して延在する開かれた部
分を形成している前端縁および後端縁と、
後端縁に配置され、静止プレートの他の部分の厚さよりも大きな厚さを有し、デ
ィスクの回転によって生じる空気流のかなりの部分を開かれた部分から離れる方向
へ偏向させて静止プレートの開かれた部分における空気流を実質的に制限する後端
縁空気堰と含んでいるディスク駆動装置。
【請求項８】
静止プレートがその開かれた部分における空気流をさらに制限するために前端縁に配置された前端縁空気堰をさらに含んでいる請求項７に記載されたディスク駆動装置。
【請求項９】
第一のディスクに平行で、中心軸線のまわりに回転するようにスピンドル・モーター・ハブに取付けられた第二のディスクをさらに含み、静止プレートが第一および第二のディスクの間に配置されている請求項７に記載されたディスク駆動装置。
【請求項１０】
静止プレートの厚さを通して延在し、静止プレートを超えて流れる空気流の空力抵抗を減少させるために、静止プレートの厚さを通して延在する空気流の排出路をさらに含んでいる請求項７に記載されたディスク駆動装置。
【発明の詳細な説明】
【技術分野】
【０００１】
（関連出願）  
本願は２００１年３月２１日付け出願された「回転ディスク間の空気流を減少させるディスク分離器」という名称の米国仮特許出願第６０／２７７７６１号に基づくもので、その利益を主張するものである。
【０００２】
本発明は一般にディスク駆動式データ記憶装置の分野に係わり、限定するわけではないが、ディスクの回転によって生じる空気流を減少させると共にその方向を定めて駆動装置の作動性能を向上させるために、ディスク駆動装置の回転可能な剛いディスクに隣接させて空気堰を有するディスク分離器の配設に関する。
【背景技術】
【０００３】
最近のディスク駆動装置は、最終ユーザーが容易に利用できる形態の大量のデータを記録するために多くのコンピュータ環境のもとで一般に使用されている。典型的なディスク駆動装置は一つ以上の剛い磁気記録ディスクを有し、それらのディスクはスピンドル・モーターによって一定した高速度で回転される。
【０００４】
各ディスクは一般に同芯状の一連のデータ・トラックに分割されたデータ記録面を有し、これらのデータ・トラックは内径および外径を有する帯状面積部分を横断して半径方向に隔てられている。データは磁束遷移の形態でディスク面のデータ・トラック内に記録される。磁束は読取り／書込みヘッドのアレーによって誘起される。各データ・トラックは多数のデータ・セクターに分割されており、データは固定サイズのデータ・ブロックとしてデータ・セクターに記録される。
【０００５】
読取り／書込みヘッドは可撓性の吊持組立体で支持され、この吊持組立体は剛いアクチュエータ・アームによって支持されており、それらのアームはディスク・スタック内に突入している。各ヘッドは空気支持面を含み、これはディスク回転によって生じる空気流に応じてヘッドをディスク面の隣接位置に浮動させる。
【０００６】
工業界で絶えぬ傾向は、サイズの縮小、およびデータ記録容量の増大および最新式ディスク駆動装置の処理速度の上昇を同時に達成することである。これらの改善は、より速いディスク回転速度の使用を含む駆動装置構造の多くの変更を通じて成し遂げられてきた。待ち時間（すなわち、特定のディスクが回転するときに、選ばれたデータ・ブロックにヘッドが達するまでの待機時間）は有利に短縮されるが、回転速度が上昇すると、回転するディスクによって生じる非常に大きな空気流の乱れがもたらされる傾向がある。
【０００７】
乱れ、すなわち乱流は、空気流の速度および方向が不規則に変動することを特徴とする。このような乱れはディスクおよびヘッドに望ましくない振動を発生し、作動時に望ましくないヘッド位置（ランアウト）の誤差をもたらす。従ってこの分野では、駆動装置のランアウト誤差を減少するために、ディスク駆動装置のヘッドの近くの空気流の乱れを減少させることが必要となる。
【発明の開示】
【課題を解決するための手段】
【０００８】
好ましい実施例によればディスク駆動装置は、ディスク記録面を有する少なくとも一つの剛い回転ディスクと、ディスク記録面に隣接させてヘッドを支持する回転可能なアクチュエータ組立体を備える。静止のディスク分離プレートがディスクに隣接して支持され、ディスク記録面のかなりの部分の近くを延在される。このプレートは前端縁および後端縁を含み、これらの端縁は協働してヘッドを移動させる間隙を形成するために開かれた部分を形成する。前端縁はヘッドの下流に配置され、後端縁はヘッドの上流に配置される。
【０００９】
プレートの後端縁は空気堰を含み、この空気堰が空気流のかなりの部分をヘッドから離れる方向へ向け、これによりヘッド位置での乱流を減少させる。好ましい実施例で前端縁は先細形状を有しており、これに対して他の好ましい実施例では前端縁が第二の空気堰を備えて、空気流をさらにヘッドの近くの開かれた部分から離れる方向へ向ける。プレートの縁部から横方向へ延在するシュラウド部分は、空気流を望まれる移動路に沿って方向決めすることを助成する。
【００１０】
静止プレートは、ディスクを回転させるために使用されているスピンドル・モーターのすぐ近くからディスクを固定するディスク・スタック組立体へ向かってディスク外径を超えて半径方向に延在することが好ましい。静止プレートは、基板のノッチ溝と係合する静止プレートのタブ部分によって基板に固定される。静止プレートは最外径位置で支持されるような十分な剛さを有することが好ましい。多数のディスクを有する駆動装置では、静止プレートはディスクの各々の隣接する二枚のディスク間に配置されることが好ましい。付加的な静止プレートは、望まれるままに最上ディスクの上方および（または）最下ディスクの下方に備えることができる。
【００１１】
さらに他の実施例では、静止プレートはプレートに形成された空気排出路を有する。排出路の個数およびサイズは空力抵抗を減少し、従ってスピンドル・モーターに必要な電力消費量を減少させるために選ばれる。
【００１２】
請求される本発明の特徴となるこれらおよび他のさまざまな特徴および利点は以下の詳細な説明を読み、添付図面を参照することで明白となるであろう。
【実施例１】
【００１３】
図面を全体的に参照し、特に図１を参照すれば、本発明の好ましい実施例により構成されたディスク駆動装置１００の平面図である。
【００１４】
ディスク駆動装置１００はさまざまなディスク駆動装置の構成部材を取付ける基板１０２、および基板１０２と協働してディスク駆動装置１００の密閉環境を形成するカバー１０４（部分的に切除して示される）を含む。ディスク駆動装置１００の構造の数多い詳細部分は当業者に周知であり、本発明を説明するために必要でないと考えられることから、それらの詳細部分は以下の説明に含まれないことが理解されるであろう。
【００１５】
基板１０２にはスピンドル・モーター１０６が取付けられており、スピンドル・モーター１０６は一定した作動速度で多数のディスク１０８を回転する。ディスク１０８はスピンドル・モーター１０６に取付けられ、クランプ・リング１１０によって固定される。スピンドル・モーター１０６、ディスク１０８中間スペーサ（図示せず）およびクランプ・リング１１０が一緒になってディスク・スタック組立体１１１を形成する。
【００１６】
アクチュエータ組立体１１２がディスク１０８に隣接しており、アクチュエータ組立体１１２はディスク１０８に平行な平面内で枢動軸受組立体１１４のまわりを枢動する。アクチュエータ組立体１１２は枢動軸受組立体１１４によって支持されるアクチュエータ本体１１６を含む。アクチュエータ本体１１６は支持アーム組立体１２０を支持するアクチュエータ・アーム１１８を有する。支持アーム組立体１２０は、ディスク１０８にデータを書込み、またディスク１０８からデータを読取るために、ディスク１０８の記録面に隣接させて読取り／書込みヘッド１２２を支持する。各ヘッド１２２はスライダ組立体を含み、スライダ組立体はディスク駆動装置１００の作動時に回転するディスク１０８によって生じる空気流に応じて読取り／書込みヘッド１２２を空力学的に支持する。
【００１７】
各々のディスク１０８は同芯円のデータ・トラック（図示せず）に分割されたデータ記録位置を有しており、読取り／書込みヘッド１２０はトラックからのデータの読取りまたはトラックに対するデータの書込みのために、データ・トラックに隣接して位置決め可能に配置される。データ記録面は、ディスク駆動装置が作動されていないときに読取り／書込みヘッド１２０がしばしばディスク１０８に係止されることのできる円周方向の接触領域１２４によって内側範囲を境界される。読取り／書込みヘッド１２０の半径方向位置をデータ記録面１２２内の位置に拘束するようにアクチュエータ１１６の枢動運動を制限することが有利である。
【００１８】
静止のディスク分離プレート１２６はディスク１０８の下側に配置されており、従って一部のみ図１に見られる。このプレート１２６はディスク１０８の最外径を超えて円周方向に延在し、ヘッド１２２をディスク１０８の記録面に隣接して位置決めするためにアクチュエータ組立体１１２のアクセスを可能にする開かれた部分１２８を有する。静止プレート１２６はそこから横方向へ延在するシュラウド部分１３０を含む。
【００１９】
基板１０２内には乾燥フィルタ１３２が固定されており、このフィルタはプレート１２６の外周の外側に配置されている。図１に見られるように、プレートを基板１０２に固定するために固定用造作１３４がプレート１２６綯いに配置されている。固定用造作１３４はプレート１２６の開口を通って延在する垂直に整合されたピンを好ましく含む。
【００２０】
図２を参照すれば、静止プレート１２６を非常に詳細に示すためにディスク１０８の頂部ディスクが取外されて図１のディスク駆動装置が示されている。静止プレート１２６の開かれた部分１２８はヘッド１２２の下流に配置された前端縁１３６と、ヘッドの上流に配置された後端縁１３８で形成される。好ましい実施例では、アクチュエータ組立体が前端縁１３６に対して接近した関係状態で配置されるように前端縁１３６はアクチュエータ１１６の上流側の輪郭に合致する輪郭形状を有している。ディスク駆動装置１００の自動組み立てを容易にするために円形開口１３９が使用される。
【００２１】
後端縁１３８は、ヘッド１２２をディスク１０８の上方に適当に位置決めできるように、弧形に好ましく輪郭を形成されている。プレート１２６の開かれた部分１２８は、ヘッド１２２に接近した領域内でディスク１０８間の露出された表面積を最小にする。
【００２２】
プレート１２６の後端縁１３８は空気堰１４０を含んで示されており、空気堰１４０は開かれた部分１２８内への空気の流れを拘束するフレアー部分を含む。空気堰１４０は図２に示された矢印で指示されるように、空気流のかなりの部分をアクチュエータ組立体１１２のまわりに偏向させる。空気堰１４０はさらに、空気堰１４０を超えてヘッド１２２に達する空気流の残る部分での乱れを取り除くように作用する。
【００２３】
レイノルズ数は、流れが層流か乱流かを決定するうえで重要なパラメータである。空気流ではレイノルズ数Ｒは以下の関係式によって定められる。すなわち、
【数１】
2005509232.tif 000003
ここで、Ｖ＝空気流の速度
Ｄ＝特定の流れの場の特徴とする長さまたは直径、および
ν＝空気の動粘度
である。
レイノルズ数のある値より小さいと流れが層流となり、それを超えると流れが乱流となる臨界値Ｒeｃが存在する。レイノルズ数がこのＲeｃにほぼ等しい流れは遷移流れと呼ばれる。
【００２４】
レイノルズ数は流れの場に作用する粘性力に対する慣性力の比を表す。従って、回転ディスク付近の空気流に関しては、境界層と呼ばれるディスク近くの薄い領域内でレイノルズ数が小さくなり、流れは層流となる。ディスクから離れる方向へ移動するか、流れの速度が増大する場合にレイノルズ数は増大し、流れは乱流となる。従って分離プレートは、空気流の粘性力（せん断力）によってその分離プレートおよびディスクの近くで空気の速度を低下させる静止面を与える。
【００２５】
古い世代のディスク駆動装置では、ディスクの回転速度は約３０００〜５０００ｒｐｍであった。最近の世代のディスク駆動装置では、ディスク１０８の回転速度は約１００００〜１５０００ｒｐｍまでに上昇した。回転速度の速い或る領域で層流空気流を維持することが望まれるならば、一般にディスクの間隔をより接近させるか（これは数１のＤの値が減少する）、またはそれらの領域内の流速を減じなければならない。請求される本発明は一般に後者のアプローチに従うものであり、ヘッド読取り／書込みヘッド１２２およびアクチュエータ・アーム１１８に近い領域で流速を減じる。従って、開かれた部分１２８への空気流は体積および速度の点でアクチュエータ組立体１１２のまわりに偏向される空気流の値よりも実質的に小さくなる。
【００２６】
図２も静止プレート１２６とディスク・スタック組立体１１１との関係を示している。静止プレート１２６の最外径が基板１０２に係合されている間、最内径は接触することなくスピンドル・モーター１０６を取り囲む。静止プレート１２６はステンレス鋼のような軽量金属材料で構成されることが好ましい。
【００２７】
ディスク分離器１２６はタブ１４６，１５０を有し、それらのタブは外径位置から対応する溝１４８，１５２へと外方へ向かってそれぞれ延在する。タブ１４６，１５０は静止プレート１２６の回転方向の移動を拘束する。
【００２８】
図３は本発明の他の好ましい実施例によるディスク分離静止プレート１２６を示している。図２と同様に、頂部ディスク１０８は取除かれてプレート１２６を完全に露出している。空気流の排出路１５４は図示のようにプレート１２６に備えられる。空気流の排出路１５４は大きなウェッジ形をしており、ディスク１０８に作用する空力抵抗力を減少させるためにサイズが選ばれる。ディスク１０８に作用する空力抵抗力の減少は、ディスク１０８を回転させるスピンドル・モーターに要求される電力を減少させる。
【００２９】
図４はディスク駆動装置１００の横断面を示しており、スピンドル・モーター１０６で支持された二枚のディスク１６１，１６２の間に配置されているディスク分離器１２６を示している。ディスク１６０，１６２は基本的には図１〜図３に示されたディスク１０８と同じである。スペーサ１６３は所望されるディスク間隔を与える。好ましい実施例で、第一のディスク１６０の底面と第二のディスク１６２の頂面との全体的な間隔距離は約２．５４ｍｍ（０．１００インチ）であり、これにはその間に配置されているプレート１２６が含まれる。空気堰１４０と隣接ディスク１６０，１６２との間の空隙の好ましい厚さは約０．１ｍｍ（０．００４インチ）程度である。プレートの残りの部分の好ましい厚さは約１．２２ｍｍ（０．０４８インチ）であり、これによりプレート１２６と隣接ディスク１６０，１６２との間に約０．６６ｍｍ（０．０２６インチ）の空隙が残される。プレート１２６ののこりの部分の他の好ましい厚さは約０．０８６ｍｍ（０．０３４インチ）であり、プレート１２６と隣接ディスク１６０，１６２との間に約０．８４ｍｍ（０．０３３インチ）の空隙を形成する。留意されることは、プレートの厚さが増大するにつれて、プレート１２６に対する空気流の抵抗が増すために、スピンドル・モーター１０６を回転させるのに要求される電力消費量も増大することである。しかしながら、約１．２２ｍｍ（０．０４８インチ）のプレート厚さは、静止プレートの無い駆動装置に比べてランアウト誤差の数がかなり減少することが見い出された。
【００３０】
図４は二枚のディスクの間に一枚のプレート１２６を使用することを示しているが、さまざまなディスク形状をした追加のプレートを容易に使用することができる。二枚のディスクより多いディスクを有する駆動装置には、追加のプレート１２６を追加の二枚のディスクの間に追加できる。プレート１２６は一枚ディスクの上側および（または）下側、または多数ディスクのディスク・スタックの最上ディスクおよび最下ディスクの上側および（または）下側にさらに加えることができる。
【００３１】
図５は、ディスク・スタック組立体１１１における三枚ディスク１６４，１６６，１６８（およびスペーサ１６５，１６７）を有するディスク駆動装置の側面図を示している。最下ディスク１６４および中間ディスク１６６の間に第一のディスク分離プレート１２６が配置され、中間ディスク１６６および最上ディスク１６８の間に第二の分離プレート１２６が配置される。第三のプレート１２６は最下ディスク１６４の下側に配置される。
【００３２】
二重ディスク駆動装置のディスク分離器１２８の配置と同様に、第一の分離プレート１２６は基板１０２の溝（図示せず）上に係止される。第二のプレート１２６は第一のプレート１２６の上に係止し、さらに詳しくは第二のプレート１２６のシュラウド１３０上に係止する。第一のプレート１２６のタブ部分はまた第一のプレート１７０によるいずれの回転移動も拘束するように基板の溝内に配置される。
【００３３】
他の構成部材が適当に取付けられたならば、頂部カバー（図示せず）が基板１０２に固定される。頂部カバーは第二のプレート１２６と押圧係合され、そのプレート１２６のプレート・シュラウド１３０を経て圧縮力を第一のプレート１２６のプレート・シュラウド１３０に伝える。頂部カバーが取付けられたならば、頂部カバーの圧縮力のみならず、基板の溝内に配置されたタブ部分もプレートを所定位置に適当に固定する。従って、ディスクに対するプレートの空間的な関係状態は保持され、開かれた部分１２８とアクチュエータ組立体１１２の回転通路との間の整合も保証される。
【００３４】
図６は図４のディスク駆動装置構造の分解斜視図を一般に与える。後端縁１３８に位置する後端縁空気堰１４０は図７に非常に詳細に示されている。前端縁１３６は先細形状（面取り）を有して、図８に非常に詳細に示されるように流入空気に対して流線形表面を与える。
【実施例２】
【００３５】
図９および図１０は前端縁１３６に配置された追加の空気堰１４１を有するプレート１２６の他の実施例を示している。空気堰１４１は前端縁１３６の付近で流入空気を拘束するので、図６の前端縁に隣接するプレート・シュラウド１３０は取除かれて空気流がディスク間の面積部分に流入するようにしている。これはその流れを前端縁１３６に隣接したアクチュエータ組立体から離れる方向へ向ける傾向を有する。
【００３６】
図９および図１０に示された実施例で、ディスク分離プレート１２６は前端縁および後端縁の空気堰１４１，１４０を支持し、粘性力により開かれた部分１２８を通る速度を減速することが留意される。頂部カバーと最上ディスク１６０（図６に示される）との間の空気流、および最下ディスク（１６２）と基板との間の空気流も十分な粘性を有している。しかしながらそれらの粘性力は、静止プレートとディスクの間の空隙が小さいために、静止ディスクとディスクとの間の粘性力ほど一般に大きくない。
【００３７】
従って本発明は一般に、第一の回転ディスク（例えば１６０）と第二の回転ディスク（例えば１６２）との間の空気流を読取り／書込みヘッド（例えば１２２）から離れる方向へ向けるための空気堰（例えば１４０）を備えた静止プレート（例えば１２６）に関する。この静止プレートは基板（例えば１０２）に光密体裁レール。静止プレートは実質的に円形の外周を有し、基板と同一平面状に係合して位置決めされる。アクチュエータでヘッドを第一のディスクに対する読取り／書込み関係位置に配置するために、プレートはその外周から内周へ向かって配置された半径方向に延在する開かれた部分（例えば１２８）を有する。回転するディスクに作用する空力抵抗を減少させるために、プレートの外周および内周の間に空気流の排出路（例えば１５４）が配置される。さらに、回転するディスクの最も外側径のまわりで空気流を方向決めするために、プレートはその外周に円周方向に配置されたプレート・シュラウド（例えば１３０）を有する。
【００３８】
特許請求の範囲の目的に関し、「第一の手段」で表現される機能は、本明細書に開示した後端縁空気堰１４０を含む静止プレート１２６の各種実施例によって遂行されることが理解されるであろう。
【００３９】
本発明のさまざまな実施例の多くの特徴および利点を本発明の各種実施例の詳細な構造および機能と共に前述で説明したが、この開示は図解のためだけのものであり、細部に変更を加えることができ、特に特許請求の範囲を表現する用語の広く一般的な意味によって示される全範囲にわたって、本発明の基本範囲に含まれる部品の構造および配置に変更を加えることができることを理解しなければならない。例えば、本発明の範囲および精神から逸脱することなく、実質的に同じ機能を保持しつつ、特定の部材をディスク分離プレートの特定の応用例に応じて変更することができる。さらに、本明細書に記載した好ましい実施例はディスク駆動装置用のディスク分離プレートヘッドに関するが、当業者には本発明の教示が本発明の範囲および精神から逸脱することなく他のシステムに適用できることは認識されるであろう。
【００４０】
本発明は留意した目的および利点、ならびに固有の目的および利点を得るように適用できることは明白となるであろう。現在好ましいとされる実施例がこの開示の目的のために記載されたが、当業者に容易に示唆され、開示し、ならびに特許請求の範囲で定められた本発明の精神に包含される多くの変更がなし得るのである。
【図面の簡単な説明】
【００４１】
【図１】本発明の好ましい実施例により構成された静止したディスク分離プレートを有するディスク駆動装置の平面図である。
【図２】頂部ディスクが取外されて好ましい実施例による静止プレートを示している図１のディスク駆動装置の平面図である。
【図３】他の好ましい実施例による静止プレートを示すために頂部ディスクが取外された図１のディスク駆動装置の平面図である。
【図４】一枚の静止プレートが第一および第二の回転ディスクの間に配置された好ましい実施例によるディスク駆動装置の立面横断面図である。
【図５】三枚の静止プレートが回転ディスクに隣接して配置された他の好ましい実施例によるディスク駆動装置の立面断面図である。
【図６】図４に示されたディスク駆動装置を一般的に示すディスク駆動装置の分解斜視図である。
【図７】図６の静止プレートの後端縁に配置された空気堰の横断面図である。
【図８】図６の静止プレートの前端縁に配置されたテーパー縁の横断面図である。
【図９】静止プレートの前端縁に配置された第二の空気堰を有する他の好ましい実施例による静止プレートの斜視図である。
【図１０】図９の静止プレートの前端縁に配置された空気堰の横断面図である。
【符号の説明】
【００４２】
１００  ディスク駆動装置
１０２  基板
１０４  カバー
１０６  スピンドル・モーター
１０８  ディスク
１１０  クランプ・リング
１１１  ディスク・スタック組立体
１１２  アクチュエータ組立体
１１４  枢動軸受組立体
１１６  アクチュエータ本体
１１８  アクチュエータ・アーム
１２０  支持アーム組立体
１２２  読取り／書込みヘッド
１２４  接地領域
１２６  静止プレート
１２８  開かれた部分
１３０  シュラウド部分
１３２  乾燥フィルタ
１３４  固定用造作
１３６  前端縁
１３８  前端縁
１４０，１４１  空気堰
１４６，１５０  タブ
１４８，１５２  溝
１５４  排出路
１６０，１６２，１６４，１６６，１６８  ディスク
１６３  スペーサ
１７０  プレート
【図１】
2005509232.tif 000004
【図２】
2005509232.tif 000005
【図３】
2005509232.tif 000006
【図４】
2005509232.tif 000007
【図５】
2005509232.tif 000008
【図６】
2005509232.tif 000009
【図７】
2005509232.tif 000010
【図８】
2005509232.tif 000011
【図９】
2005509232.tif 000012
【図１０】
2005509232.tif 000013
【国際調査報告】
2005509232.tif 000014
2005509232.tif 000015